(57)【要約】【課題】接続部分を積重ね多段化して必要面積を小さくし、かつ接続作業性を良くした光ファイバ終端機構を得る。【解決手段】プリント基板側からの光ファイバのファイバ余長部を収容する収納ケース１４と、収納ケースに積重ねて使用する外部光ケーブル１６のケーブル余長部を収容する余長ケース１７とを設けて、収納ケースには、光ファイバ先端のコネクタ１３と光ケーブル先端のコネクタとを接続するアダプタ１５と、余長ケースと接合するためのクリップつめ孔１４ａ相当とを備え、余長ケースには、外部光ケーブルを固定するホルダ１８と、収納ケースと積重ねてクリップつめ孔相当とワンタッチ接合するクリップつめ１７ａ相当とを備えた。【選択図】　　　　図１
2004093739.tif 000002
【特許請求の範囲】
【請求項１】
プリント基板側からの光ファイバのファイバ余長部を収容する収納ケースと、上記収納ケースに積重ねて使用する外部光ケーブルのケーブル余長部を収容する余長ケースとを設けて、
上記収納ケースには、上記光ファイバ先端のコネクタと上記光ケーブル先端のコネクタとを接続するアダプタと、上記余長ケースと接合するためのクリップつめ孔相当とを備え、
上記余長ケースには、上記外部光ケーブルを固定するホルダーと、上記収納ケースと積重ねて上記クリップつめ孔相当とワンタッチ接合するクリップつめ相当とを備えた、ことを特徴とする網終端接続機構。
【請求項２】
余長ケースは、収納ケースまたはプリント基板側に対する外部カバーとし、かつ内部にホルダーを備えて、ケーブル余長部を収容する構造としたことを特徴とする請求項１記載の網終端接続機構。
【請求項３】
収容ケース内部のアダプタは、該収容ケースを側面から見て斜めに、上記収容ケースの底面にとり付けた構造としたことを特徴とする請求項１記載の網終端接続機構。
【発明の詳細な説明】
【０００１】
【発明の属する技術分野】
本発明は高速インタネット光ファイバ通信における、光ファイバケーブルをオフィスまたは各家庭に引き込みする光ファイバ網終端装置に関するものである。
【０００２】
【従来の技術】
図４は例えば特開平７−７２３３７号公報に示された従来の光ケーブル接続構造を持つ加入者端末装置である。図において光モジュール１２を内臓する回路パッケージ１は、その線路側を先端に光コネクタ１３を設けた光ファイバコード１４にて引きだし、外から導入した光ケーブル３１の光ファイバコード３２は、余長収容部７１と上記光ファイバコード１４と接続する接続部７２を備え、プリント基板１１と平行な面を回動して前方に露出するように回路パッケージ１又はシェルフ２の隣接側面の前部に枢支される回動支持部材７に保持され、シェルフ２又は回路パッケージ１に、回動支持部材７を後方に引っ張り凹部２２に格納させる付勢手段と、露出定位置にロックする手段とを備えている。また、外部からの光コード３２は、ワイヤホルダ７７で余長収容部７１に固定する。
【０００３】
【発明が解決しようとする課題】
従来の光ファイバ終端機構は以上のように構成されており、外部からの光ケーブルを、余裕を持って、かつ曲げ半径を小さくしないで収容するために、プリント基板側も外部からの余長収容部側も共に、光ケーブルの余長を収容する十分なスペース、面積が必要であるという課題がある。
かつ外部からの光ケーブルを固定するワイヤホルダを用いるので、ケーブルの引き離し時など、ワイヤホルダを外すなど、作業性が悪いという課題もある。
【０００４】
この発明は上記の課題を解決するためになされたもので、接続部分を積重ね多段化して必要面積を小さくし、かつ接続作業性を良くした光ファイバ終端機構を得ることを目的とする。
【０００５】
【課題を解決するための手段】
この発明に係る網終端接続機構は、プリント基板側からの光ファイバのファイバ余長部を収容する収納ケースと、収納ケースに積重ねて使用する外部光ケーブルのケーブル余長部を収容する余長ケースとを設けて、
収納ケースには、光ファイバ先端のコネクタと光ケーブル先端のコネクタとを接続するアダプタと、余長ケースと接合するためのクリップつめ孔相当とを備え、
余長ケースには、外部光ケーブルを固定するホルダーと、収納ケースと積重ねてクリップつめ孔相当とワンタッチ接合するクリップつめ相当とを備えた。
【０００６】
また更に、余長ケースは、収納ケースまたはプリント基板側に対する外部カバーとし、かつ内部にホルダーを備えて、ケーブル余長部を収容する構造とした。
【０００７】
また更に、収容ケース内部のアダプタは、この収容ケースを側面から見て斜めに、収容ケースの底面にとり付けた構造とした。
【０００８】
【発明の実施の形態】
実施の形態１．
実装床面積を小さくしてサイズをコンパクトにした接続機構を、図を用いて説明する。
以下の図面で、内部側、つまりプリント基板側に接続される光ファイバの余長部を収容するケースを収容ケースと呼び、外部からの光ケーブルの余兆部を収容するケースを余長ケースと呼ぶ。本実施の形態では、この２つのケース、収容ケースと余長ケースを最終的には積重ねて実装する。光ファイバ、光ケーブルの各余長部を他のプリント基板とは異なる層に移動させて面積を小さくし、しかも積重ねをワンタッチのバネ付きつめで可能にして、作業性を良くしている。
【０００９】
図１は、本実施の形態における網終端接続機構の構成を示す図である。図において、１１はプリント基板で、回路等が実装されており、１０の光モジュールを受けるモジュール・コネクタが設けられている。１２はそこから伸びる光ファイバであり、１４の収納ケースに光ファイバ１２の余長部を巻き込んで収容し、光ファイバ１２の先端にある、１３で示される光コネクタを、収納ケース１４上に設けた１５のアダプタで、光ケーブルの先端の光コネクタと接続する。収容ケース１４には、他に、この図では中央に、１４ａのクリップつめ受け用のクリップつめ孔を設けている。アダプタ１５は、好ましくは収納ケース１４を側面から見て斜めに両光コネクタが接続されるよう、傾けて設けるのがよい。
１７は、この収納ケースに積重ねて使用する余長ケースであり、１６で示される外部からの光ケーブルを留める、１８の保持用ホルダを設けている。外部ケーブル１６は、その余長部を余長ケース１７の内部に収めて、ケーブル先端は余長ケーブルの側面または下面から出て収納ケース１４側に伸びている。更に余長ケース１７には、収納ケース側のクリップつめ孔にワンタッチでバネ勘合する、１７ａで示されるクリップつめを設けている。１９は外部カバーである。
【００１０】
図２（ａ）は、余長ケース１７を上から見た底面図である。
この機構の動作については図から明らかであるが、簡単に述べれば以下の通りである。
最初に内部側のプリント回路基板からの光ファイバと、外部からの光ケーブルを接続するためには、光ファイバ１２の余長部を収納ケース１４に収めて先端の光コネクタ１３をアダプタ１５に接続した、プリント基板１１と収納ケース１４の一体構造が用意されている。これに対して外部からの光ケーブル１６をホルダー１８で固定し、その余長部を内部に収容した余長ケース１７を用意して、光コネクタをアダプタ１５に接続する。更にクリップつめ１７ａを押し込むと、ワンタッチで収納ケース１４と余長ケース１７が積重ねられる。その後、外部カバー１９を他の外部カバーと接合する。
取り外しはこの逆で、外部カバー１９を取り外し、クリップつめ１７ａをワンタッチで外して、余長ケース１７と収納ケース１４とを分離する。光ケーブル先端の光コネクタ１３をアダプタ１５から外せば、外部と内部側は切り離される。
この際、アダプタが斜めに設置されていると、光コネクタ１３の接続、取り外しがスムースに行なえる。図２（ｂ）はこの様子を示す斜視図である。
【００１１】
余長ケースと外部カバーとを一体にした構造も可能である。
図３は、外部カバー１９内に光ケーブル１６の余長部を収容するスペースと、保持用ホルダ１８とを設け、かつ側面からクリップつめをワンタッチ解除できる構造としたものである。つまり外部カバー１９の内側を余長ケースのスペースとしたものである。
なお、ここではクリップつめと、相手のクリップつめ孔を各ケースの中央に設ける例を説明したが、ケースの外周部にワンタッチ・クリップを設けて、バネで両ケースを挟む構造としても良い。またクリップに代わり凹凸形状の勘合固定構造をとってもよい。
【００１２】
【発明の効果】
以上のようにこの発明によれば、余長ケースと収納ケースとを設け、かつ両者を勘合する機構としたので、接続部分が積重ね構造となって必要面積が小さくなり、かつ接続作業性がよくなる効果がある。
【図面の簡単な説明】
【図１】この発明の実施の形態１における網終端接続機構の構成を示す図である。
【図２】図１における余長ケースを上から見た図とコネクタの斜視図である。
【図３】実施の形態１における他の余長ケース（外部カバー）の図である。
【図４】従来の光ケーブル接続構造を示す図である。
【符号の説明】
１　網終端装置、２　外部カバー、１０　光モジュール、１１　プリント基板、１２　光ファイバ、１３　光コネクタ、１４　収納ケース、１５　アダプタ、１６　外部からの光ケーブル、１７　余長ケース、１８　保持用ホルダ。
【図１】
2004093739.tif 000003
【図２】
2004093739.tif 000004
【図３】
2004093739.tif 000005
【図４】
2004093739.tif 000006